【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
式ＥおよびＨ
【化１】
2014529671.tif 000001
Ｌ０１〜Ｌ０３は、互いに独立して、ＨまたはＦであり、
Ｚ０は、−ＣＯＯ−または−ＣＦ２Ｏ−であり、
Ｒ０はアルキルであり、これは直鎖または分枝であり、非置換であるか、Ｆ、ＣｌまたはＣＮにより、単置換または多置換されており、およびここにおいて１つまたは２つ以上のＣＨ２基は、それぞれの場合において互いに独立して、−Ｏ−、−Ｓ−、−ＮＲ０１−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＣＹ０１＝ＣＹ０２−または−Ｃ≡Ｃ−により、Ｏおよび／またはＳ原子が互いに直接的に結合しないように置き換えられていてもよく、
Ｙ０１およびＹ０２は、互いに独立して、Ｆ、ＣｌまたはＣＮであり、および代替的にそれらの１つはＨであってもよく、
Ｒ０１およびＲ０２は、互いに独立して、Ｈまたは１〜１２個のＣ原子を有するアルキルである、
のいずれかで表される化合物の群から選択される１種または２種以上の化合物を含む、ブルー相を呈するメソゲン媒体。
【請求項２】
式Ｅ-Ｉ
【化２】
2014529671.tif 000002
式中、パラメーターは請求項１において与えられる意味を有する、
で表される１種または２種以上の化合物を含むことを特徴とする、請求項１に記載のメソゲン媒体。
【請求項３】
式Ｅ-ＩＩ
【化３】
2014529671.tif 000003
式中、パラメーターは請求項１において与えられる意味を有する、
で表される１種または２種以上の化合物を含むことを特徴とする、請求項１または２に記載のメソゲン媒体。
【請求項４】
式Ｈ
【化４】
2014529671.tif 000004
式中、パラメーターは請求項１において与えられる意味を有する、
で表される１種または２種以上の化合物を含むことを特徴とする、請求項１〜３のいずれか一項に記載のメソゲン媒体。
【請求項５】
式Ｍ−ＩおよびＭ−ＩＩ
【化５】
2014529671.tif 000005
式中、
Ｌ０は、ＨまたはＦであり、
Ｒ０は、アルキルであり、これは直鎖または分枝であり、非置換であるか、Ｆ、ＣｌまたはＣＮにより、単置換または多置換されており、およびここにおいて１つまたは２つ以上のＣＨ２基は、それぞれの場合において互いに独立して、−Ｏ−、−Ｓ−、−ＮＲ０１−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＣＹ０１＝ＣＹ０２−または−Ｃ≡Ｃ−により、Ｏおよび／またはＳ原子が互いに直接的に結合しないように置き換えられていてもよく、
Ｙ０１およびＹ０２は、互いに独立して、Ｆ、ＣｌまたはＣＮであり、および代替的にそれらの１つはＨであってもよく、
Ｒ０１およびＲ０２は、互いに独立して、Ｈまたは１〜１２個のＣ原子を有するアルキルである、
のいずれかで表される化合物の群から選択される１種または２種以上の化合物を含むことを特徴とする、請求項１〜４のいずれか一項に記載のメソゲン媒体。
【請求項６】
式Ｉおよび式ＩＩ
【化６】
2014529671.tif 000006
式中、
Ｌ１は、ＨまたはＦであり、
Ｌ２１〜Ｌ２３は、互いに独立して、ＨまたはＦであり、
Ｒ１およびＲ２は、互いに独立して、アルキルであり、これは直鎖または分枝であり、非置換であるか、Ｆ、ＣｌまたはＣＮにより単置換または多置換されており、およびここにおいて１つまたは２つ以上のＣＨ２基は、それぞれの場合において互いに独立して、−Ｏ−、−Ｓ−、−ＮＲ０１−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＣＹ０１＝ＣＹ０２−または−Ｃ≡Ｃ−により、Ｏおよび／またはＳ原子が互いに直接的に結合しないように置き換えられていてもよく、
Ｙ０１およびＹ０２は、互いに独立して、Ｆ、ＣｌまたはＣＮであり、および代替的にそれらの１つはＨであってもよく、
Ｒ０１およびＲ０２は、互いに独立して、Ｈまたは１〜１２個のＣ原子を有するアルキルである、
のいずれかで表される化合物の群から選択される１種または２種以上の化合物を含むことを特徴とする、請求項１〜５のいずれか一項に記載のメソゲン媒体。
【請求項７】
１種または２種以上の重合性化合物を含むことを特徴とする、請求項１〜６のいずれか一項に記載の媒体。
【請求項８】
式ＩＩＩ
【化７】
2014529671.tif 000007
式中、Ｒ３は請求項１においてＲ１に対して与えられる意味を有する、
で表される１種または２種以上の化合物を含むことを特徴とする、請求項１〜７のいずれか一項に記載の媒体。
【請求項９】
式ＩＶおよび式Ｖ
【化８】
2014529671.tif 000008
式中、
Ｒ４およびＲ５は、互いに独立して、アルキルであり、これは直鎖または分枝であり、１〜２０個のＣ原子を有し、非置換であるか、Ｆ、ＣｌまたはＣＮにより単置換または多置換されており、およびここにおいて１つまたは２つ以上のＣＨ２基は、それぞれの場合において互いに独立して、−Ｏ−、−Ｓ−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により、Ｏおよび／またはＳ原子が互いに直接的に結合しないように置き換えられていてもよく、
Ｌ５は、ＨまたはＦであり、
【化９】
2014529671.tif 000009
ｎおよびｍは、互いに独立して、０または１である、
のいずれかで表される化合物の群から選択される１種または２種以上の化合物を含むことを特徴とする、請求項１〜８のいずれか一項に記載の化合物。
【請求項１０】
請求項５に記載の式Ｍ−Ｉで表される１種または２種以上の化合物を含むことを特徴とする、請求項１〜９のいずれか一項に記載の媒体。
【請求項１１】
請求項５に記載の式Ｍ−ＩＩで表される１種または２種以上の化合物を含むことを特徴とする、請求項１〜１０のいずれか一項に記載の媒体。
【請求項１２】
請求項７〜１１のいずれか一項に記載の媒体にその重合性成分の重合化を施すことを特徴とする、メソゲン媒体の安定化方法。
【請求項１３】
請求項７〜１１のいずれか一項に記載の媒体の重合性成分を重合化することにより安定化された、メソゲン媒体。
【請求項１４】
請求項１〜１１および１３のいずれか一項に記載の媒体を含むことを特徴とする、光変調素子。
【請求項１５】
請求項１〜１１および１３のいずれか一項に記載の媒体を含むことを特徴とする、電気光学ディスプレイ。
【請求項１６】
請求項１〜１１および１３のいずれか一項に記載の媒体の、光変調素子における使用。
【手続補正２】
【補正対象書類名】明細書
【補正対象項目名】００３４
【補正方法】変更
【補正の内容】
【００３４】
本発明のさらに好ましい態様において、メソゲン媒体は、式Ｈ−Ｉ−１
【化３０】
2014529671.tif 000010
式中、Ｒ０は、式Ｈのもとに上で与えられる意味を有し、好ましくはｎ−アルキルであり、最も好ましくはエチル、ｎ−プロピル、ｎ−ブチル、ｎ−ペンチルまたはｎ−ヘキシルである
で表される、もう１種の化合物を含む。
【手続補正３】
【補正対象書類名】明細書
【補正対象項目名】０１００
【補正方法】変更
【補正の内容】
【０１００】
好ましい態様において、本発明によるメソゲン変調媒体は、
−  式Ｅ−Ｉで表される１種の化合物または２種以上の化合物、好ましくは１〜４０重量％の合計濃度で、より好ましくは１〜３０重量％の合計濃度で、および最も好ましくは
−  存在するそれぞれの単一の化合物に対し、それぞれの場合１〜２０重量％の濃度で、および／または
【手続補正４】
【補正対象書類名】明細書
【補正対象項目名】０２３５
【補正方法】変更
【補正の内容】
【０２３５】
例６
以下の液晶混合物Ｍ−６を調製して、その全般の物性に関して調査する。組成および特性を以下の表に示す。
【表１７】
2014529671.tif 000011
【手続補正５】
【補正対象書類名】明細書
【補正対象項目名】０２３６
【補正方法】変更
【補正の内容】
【０２３６】
ポリマー前駆体の典型的な濃度は以下の通りである。
【表１８】
2014529671.tif 000012